(57)【要約】【課題】  １ヘッド分の記録データを複数のヘッドに分配して記録を行い、ヘッド寿命を長くし、高速、高画質印刷を実現する。【解決手段】  記録データは記録ヘッドに転送される直前に設けられた記録ヘッドセレクタ回路もしくはマスク回路を通過する。記録ヘッドセレクタ回路は、複数ヘッドの中からキャリッジ位置によって最適なヘッドを選択し、記録データを転送する。マスク回路は、複数ヘッドによる記録時に、記録データにキャリッジ位置によって最適なマスクを適用させる。【選択図】  図１
2005262788.tif 000002
【特許請求の範囲】
【請求項１】
１ヘッド分の記録データを生成する画像処理回路と、記録モードを選択するための記録モード選択手段と、前記記録データを複数の記録ヘッドに対して転送する回路を搭載する画像記録装置において、記録ヘッドを搭載するキャリッジの位置によって前期記録データを前記複数の記録ヘッドのいずれか１つの記録ヘッドに転送するヘッド選択手段を具えることを特徴とした画像記録装置。
【請求項２】
１ヘッド分の記録データを生成する画像処理回路と、記録モードを選択するための記録モード選択手段と、前記記録データを複数の記録ヘッドに対して転送する回路を搭載するインクジェット記録装置において、前期記録データを前記複数の記録ヘッドに転送する転送手段と、記録ヘッドを搭載するキャリッジの位置によって記録ヘッドに転送する記録データをマスクする手段を具えることを特徴とした画像記録装置。
【請求項３】
前記複数ヘッドはブラック色のドットを形成するものであることを特徴とする請求項１ないし請求項２記載の画像記録装置。
【請求項４】
前記複数の記録ヘッドは、熱エネルギーを利用してインク滴を記録シート上に吐出して、ドットを記録することによって画像を形成することを特徴とする請求項１ないし請求項２記載の記録装置。
【請求項５】
前記複数ヘッドに割り当てられた単色のみを使用した印刷時には、前記ヘッド選択手段は、キャリッジ進行方向と記録シートの直行する方向に関して、記録シート端部では、前記複数ヘッドの中で最も記録シート端部に近いヘッドのみを選択して記録を行い、キャリッジ往復距離を最短にするようにヘッドを選択することを特徴とした請求項１記載の画像記録装置。
【請求項６】
前記複数ヘッドに割り当てられた単色のみを使用した印刷時には、前記マスク手段は、キャリッジ進行方向と記録シートの直行する方向に関して、記録シート端部では、前記複数ヘッドの中で最も記録シート端部に近いヘッド以外をマスクして記録を行い、キャリッジ往復距離を最短にするようにヘッドにマスクすることを特徴とした請求項２記載の画像記録装置。
【請求項７】
複数色による印刷時には、前記ヘッド選択手段は、キャリッジ進行方向と記録シートの直行する方向に関して、前記複数ヘッドに割り当てられた単色側の記録シート端部では、前記複数ヘッドの中で最も記録シート端部に近いヘッドのみを選択して記録を行い、複数色のヘッドが隣り合う側の記録シート端部では、最も端のヘッドが記録シート端部に到達したときにキャリッジを往復させ、全ての色を記録シートの記録可能領域上に記録でき、かつキャリッジ往復距離を最短にするようにヘッドを選択することを特徴とした請求項１記載の画像記録装置。
【請求項８】
複数色による印刷時には、前記ヘッド選択手段は、キャリッジ進行方向と記録シートの直行する方向に関して、前記複数ヘッドに割り当てられた単色側の記録シート端部では、前記複数ヘッドの中で最も記録シート端部に近いヘッド以外をマスクして記録を行い、複数色のヘッドが隣り合う側の記録シート端部では、最も端のヘッドが記録シート端部に到達したときにキャリッジを往復させ、全ての色を記録シートの記録可能領域上に記録でき、かつキャリッジ往復距離を最短にするようにヘッドにマスクをすることを特徴とした請求項２記載の画像記録手段。
【発明の詳細な説明】
【技術分野】
【０００１】
本発明は、複数ノズル列を持つ記録ヘッドを搭載するインクジェット記録装置において、１色に複数色分けのノズル列数を与えて高速、高画質印刷を実現する技術に属する。
【背景技術】
【０００２】
インクジェット記録装置に関して、インクを吐出させるためのノズルとヒータを持ち、ヒータを加熱することによって気泡を発生させ、気泡の成長によって記録媒体上に向けてインクを吐出し、記録を行うサーマルインクジェットプリントがある。１つのノズルから吐出されるインク滴は微小なため、通常記録を行う場合には、記録ヘッド内にノズル列を複数個設け、各ノズルのヒータをスイッチング制御することによって記録シート上に画像記録を行う。インクを複数使用する記録については、各色ごとに独立したノズル列が設けられた記録ヘッドを使用し、記録データに基づいて各色の各ノズルから吐出されたインク滴が、記録シート上で決められた位置に着弾することにより記録シート上で記録が実現する。記録ヘッドは、各色独立したノズル列を有しているため、記録データは記録ヘッドが有する色成分に分解され、それぞれの色に対応した独立データとして生成され、各ノズル列に対応した記録データとして記録ヘッドに転送される。
【０００３】
各色を同じ頻度で使用する場合、各色同じ数のノズル列を配置し、それぞれのノズル列に対応した記録データ処理回路を有する。一方、テキストやある特定の色の割合が多い記録データの印刷を行う場合、インクの使用頻度はその色に集中する。しかしながら、同一ノズル列を連続して頻繁に吐出させつづけると、インク供給が不安定な状態に陥り、画質の悪化を招く。また、記録ヘッドの温度が上昇してインク滴の吐出体積や吐出速度が不安定になり、結果として画質の劣化を招き、同時に記録ヘッド寿命にも悪影響を与えるという問題があった。このような状態を避けるために、１色のインクに対して複数のノズル列を設ける方法がある。この場合、ノズル列の増加と共に処理を行う記録データも増加する。そのため、記録データ処理部分の回路規模が増大してしまうという問題があった。そのため、特許文献１では、記録濃度の向上と高速化を実現するために、吐出量の異なる２つのブラックヘッドを備え、黒文字を記録するモードでは、より吐出量の多い記録ヘッドのみに駆動データを送り、これにより黒文字濃度を向上させつつ、高速記録を行うときは、１ライン毎に両方の記録ヘッドに交互に駆動データを送り、各記録ヘッドの駆動周波数をそのままに記録速度を２倍にする方法について示している。
【特許文献１】特開平０９−１９３４１６号公報
【発明の開示】
【発明が解決しようとする課題】
【０００４】
しかしながら、更なる高速化や長寿命化を実現しようとする場合、上記の特許文献１に開示の技術では不十分である。
【０００５】
本発明は、以上の状況に鑑みてなされたものであり、回路規模の増大を最小限に抑えつつも、更なる高速化・長寿命化を実現しえる画像記録装置を提供することを目的とする。
【課題を解決するための手段】
【０００６】
本発明による方法では、６色のインクに対して設けられた複数のノズル列に対して、記録データ生成回路において４色分けの記録データのみを生成する。２色分けの余分なノズル列に対しては、使用頻度が高い色などから判断し、あらかじめ与えておく。余分なノズルに与えられる色は常に一定であり、生成された記録データは、記録モードや記録速度によって選択的に残り２色分けのノズル列に振り分けられる。
【０００７】
記録データは記録ヘッドに転送される前段に設けられた記録ヘッドセレクタ回路とマスク回路を通過する。記録ヘッドセレクタ回路は、どのノズル列に記録データを転送するかを選択する機能のほか、複数のノズル列を選択することにより、複数のノズル列に同じデータを転送することが可能である。その場合には、各ノズル列に転送される記録データはマスク回路によって最適なマスクがかけられる。これらの選択回路により、データ処理部の回路規模の増加を最小限に押さえることができる。また記録ヘッドセレクタ回路、マスク回路における選択の組み合わせを変更することにより、印字モード等に応じて所望の速度や画質を実現できる。
【発明の効果】
【０００８】
以上で示したように、本発明による方式によれば、４色インクを使用して印刷を行う場合、６色対応ヘッドを使用しても、データ処理量はヘッド送信の直前段まで４色対応ヘッドを使用した場合と同じである。これにより、ホストコンピュータから記録データを受信してから画像処理段階を経てヒートデータバッファに格納されるまでの信号処理系では、回路規模が増大することはない。また、１色分けの記録データを複数の記録ヘッドに振り分けて印刷を行うため、Ｄｕｔｙが高い場合には、３つのヘッドを使用してヘッド昇温を抑えることができ、キャリッジ速度が速い場合には３つのヘッドを使用してカスレを少なくすると同時にヒート周波数が低い場合でも高速印字が可能である。また、記録シートのキャリッジ往復距離に平行した印字領域に関して、用紙端部において記録ヘッドを振り分けるため、キャリッジ往復距離を最短にすることができ、印字速度が向上する。すなわち、本発明はサーマルインクジェット記録方式において、ヘッドの寿命を伸ばす点、低コストで高速化を図る点においても利点のある発明である。
【発明を実施するための最良の形態】
【０００９】
＜装置本体の概略説明＞
図７は本発明の実施例に記載の記録装置の主要な部分の構成を示す斜視図、図８は同断面図である。本実施例において、記録ヘッドはインクジェット方式が採用されている。７２は画像を形成するための記録ヘッド１を支持するキャリッジ７２であり、７３はキャリッジ７２を記録シートの搬送方向と直交する方向に案内するガイド軸である。７４は記録ヘッドから吐出するためのインクを充填してあるインクタンクであり、インクはインクガイド７５によりインクタンク７４から記録ヘッド１まで導かれる。また、７６は不図示のプーリーと、プーリー７７間に張架されたタイミングベルトであり、このタイミングベルト７６の一部はキャリッジ７２に固定されている。なお、他方のプーリー７７は不図示のキャリッジ７２モータ７１（以下ＣＲモータと呼ぶ）に固定されており、ＣＲモータ７１を駆動させることによりキャリッジ７２をガイド軸７３と平行に移動させることが可能である。スケール７９はキャリッジ７２の絶対位置を示すスケールである。８０は複数枚のシートを積載する給紙カセットであり、給紙カセット内部にはシート方向の幅を規制する不図示のサイドガイドが内蔵されている。シートは不図示の自動給送装置によって一枚ずつ分離、給送される。８１は記録シートを搬送するために搬送モータ８２（以下ＬＦモータと呼ぶ）によって駆動される搬送ローラであり、８３は不図示のバネにより搬送ローラにシートを密接するピンチローラである。
【００１０】
一方、８４は記録ヘッド１によって画像が形成されたシートを記録装置外へ排出する排出ローラ、８５は不図示のバネによって排出ローラ８４とシートを密接させるための拍車ローラである。この排出ローラ８４にはプーリー８６により搬送モータ８２に駆動回転される。８７は搬送ローラと排出ローラ８４の回転方向の絶対位置を示すスケールである。８８は排出されたシートを収納する排出トレイである。
【００１１】
一方、図９において、９５はＣＰＵ３４の制御プログラム等を納めたＲＯＭ、９６はＣＰＵ９４の制御実行時のワークエリアや、キャリッジ７２の速度等の情報を備えるＲＡＭ、９７は記録装置の電源がＯＦＦされても情報の保持が可能なＥＥＰＲＯＭである。９８は記録ヘッド１を所望の記録情報に応じて駆動するための記録ヘッドドライバ、１０３はＬＦモータドライバであり、搬送ローラ８１を駆動する搬送モータ１０４を駆動制御するものである。１０５は記録ヘッド１を搭載したキャリッジ７２を駆動するためのＣＲモータドライバである。
【００１２】
さらに、９３はホストコンピュータ等の電子機器９２と接続するＩ／Ｆ（インターフェース）部であり、Ｉ／Ｆ部９３を介して記録装置は電子機器９２と情報交換が可能になっている。
【００１３】
次に、このように構成された記録装置における記録シート搬送制御について説明する。記録動作を行う際に、まずＣＰＵ９４は給送（ＬＦ）モータドライバ９３を介して給送（ＬＦ）モータ７２を駆動する。これにより給紙カセット８０にセットされた記録シートが繰り出され、その後不図示の分離手段によって１枚ずつ分離されて搬送ローラ方向に給送される。搬送ローラ７１により搬送された記録シートが記録位置に達するとキャリッジ７２（ＣＲ）モータドライバ１０５を介してキャリッジ７２モータ１０６を駆動すると共にキャリッジ７２をシート給送方向と交差する方向に走査させながら記録ヘッドドライバ９８を介して記録ヘッド１を駆動し、記録シートに１行目の記録を行う。
【００１４】
１行目の記録が終了すると、搬送モータを駆動して搬送ローラにより記録シートを次の記録位置まで移動させ、再度キャリッジ７２モータ１０６と記録ヘッド１を駆動させて次の行の記録を行う。この動作を１ページのデータ分繰り返すことにより記録シートへの記録が完了する。記録完了後、さらに搬送モータ１０４を駆動すると記録シートの後端が排出ローラ８４と拍車ローラ８５によってのみ支持され、排出ローラ８４の回転動作によって搬送される。そして、排出ローラ８４をさらに駆動すると、記録シートの後端が排出ローラ８４を通過して記録シートは記録装置外へ排出される。記録装置外へ排出された記録シートは、記録シートの収納手段である排出トレイ８８上に収納される。
【実施例１】
【００１５】
以下、図を参照しながら本発明の実施形態について説明する。
【００１６】
図１は、本発明の構成を示す概略図であり、６色分けのノズル列を持つ記録ヘッド１を用いてＢｋ、Ｃ、Ｍ、Ｙの４色で印刷を行う構成で、余り２色分けの記録ヘッドにＢｋを割り当てた場合の構成図である。本実施例においては、余り記録ヘッドにＢｋを割り当てるが、余り記録ヘッドには、印字に使用しているどの色を割り当ててもよい。
【００１７】
画像処理部２はホストコンピュータ９２から受信した記録データを印字モードに応じて記録ヘッド１の個々のノズルに対応するデータ形式に変換する部分であり、内部では要求される印字モードに対応する形で圧縮データの解凍やスムージング処理等が実行される。これらの処理は色別に処理され、記録ヘッドに転送される前段で、色別にアドレッシングされてバッファ３に格納される。
【００１８】
バッファ３に格納されたデータは、記録ヘッドデータ読込／転送コントロール部４にて、記録ヘッド１に転送される。読み出しは、ヒートタイミングコントロールブロック６から受け取るトリガ９によって実行される。トリガ９が入力されると、色別にアドレッシングされたバッファ３内から、キャリッジ７２の位置から読み出しアドレスを算出し、キャリッジ７２位置に対応した位置に所望のデータを記録できるように、記録ヘッドに転送する値を読み込み、読み込んだデータを記録ヘッドに向けて転送する。データと同時に、クロックと記録ヘッドにデータをラッチするためのラッチ信号を転送する。
【００１９】
記録ヘッド１は記録ヘッドデータ読込／転送コントロール部６から転送されてくるデータを受け取り、ラッチ信号により、個々のノズルに対応したヒータのＯＮ／ＯＦＦが確定する。ラッチ後、ヒートパルスコントロール部から転送されてくるヒートパルス１０によって各ノズルのヒータがＯＮされ、吐出されたインク滴が記録シート上に記録される。
【００２０】
ヒートパルスコントロール部は、キャリッジ７２位置とキャリッジ７２の進行方向及び速度から、記録データが記録シート状で所望の位置に記録されるよう、適切なタイミングでヒートパルス１０を記録ヘッド１に向けて送信する。
【００２１】
位置カウント部７は、キャリッジ７２からＣＲエンコーダパルスを受け取り、キャリッジ７２の位置を管理する。キャリッジ７２の位置が所定の位置に到達したら画像、データ処理トリガ９を画像処理部２に転送し、画像処理部２にてデータ処理を開始する。同様に、キャリッジ７２位置をカウントしながら、記録ヘッドデータ読出／転送コントロール部４に位置情報としてのトリガ９を転送する。
【００２２】
記録ヘッド１は、複数のノズル列からなっており、記録ヘッドデータ読出／転送コントロール部４によって転送される各ノズルに対応するデータを受信し、ヒートパルス１０をトリガとしてインク滴を吐出する。ヒートパルス１０は、ノズル列ごとに独立して記録ヘッドに転送される。各ノズル列におけるインクの吐出タイミングは、キャリッジ７２の絶対位置とキャリッジ速度によって決定する。
【００２３】
記録ヘッドデータ読込／転送コントロール部４には、記録ヘッド１の複数個独立した読込／転送回路５が備わっており、バッファ３からそれぞれの記録ヘッド１に対応したデータを読み込み、記録ヘッドにデータの転送を行う。
【００２４】
１１は、セレクタ回路であり、本実施例においては、３色分けの記録ヘッドが割り当てられているＢｋの記録ヘッドデータコントロール回路１２内にあり、各Ｂｋ記録ヘッドの読込／転送回路５に接続されている。キャリッジ７２位置とあらかじめ設定された印字モードから、各Ｂｋ記録ヘッドの読込／転送回路５をセレクトし、バッファ３からのデータ読込と記録ヘッドへのデータ転送のトリガ信号を与える。セレクタ回路１１は、位置カウント回路７から転送される記録ヘッド位置トリガによって、トリガ信号を生成する。記録ヘッドのセレクトは、１記録ヘッドもしくは２記録ヘッド以上のセレクタ回路が可能であり、記録ヘッド切替え箇所における２記録ヘッド以上の記録ヘッドを使用したオーバーラップ記録が可能である。このオーバーラップ記録によってキャリッジ７２移動中に記録ヘッド切り替えを実行しても途切れの無い記録が可能になる。セレクタ回路１１には、あらかじめ印字モードを設定し、セレクタ回路１１自体がキャリッジ７２の位置と使用する記録ヘッドを判別することが可能であるほか、キャリッジ７２の位置と使用する記録ヘッドを直接外部から設定する方法も可能である。セレクタ回路１１には、この他に記録ヘッド切り替えと同時に切り替えるべきバッファ３からの読出しアドレス値もしくはアドレスの差を指定しておく。読出しアドレスは、記録ヘッド間の距離ｄ［ｉｎｃｈ］と解像度にａ［ｄｐｉ］よって決定される。記録ヘッド切り替え時にバッファ３からのデータ読み出しアドレスを切り替えることにより、記録ヘッド切り替えによる記録ヘッド間の距離分の印字ずれを吸収する。このため、バッファ３には、複数カラム分の記録データが保存されており、各記録ヘッドがＯＤＤ側、ＥＶＥＮ側に分割されている場合、１色分けを３記録ヘッドに割り当てる場合には両者のバッファ３に対して２ａ×ｄ［ｃｏｌｕｍｎ］以上のバッファデータが必要である。
【００２５】
次に、実際の動作について図２及び３を参照しながら説明する。図２はキャリッジ７２進行方向に平行で、かつ記録シートの記録面に垂直に見た簡易図である。図中の７２は記録ヘッドが搭載されたキャリッジ７２であり、各色の記録ヘッドは図のようにキャリッジ７２進行方向に対して水平に距離を持って配置されている。本実施例では、図２に示すようにＢｋ、Ｃ、Ｍ、Ｙの順で記録ヘッドが並んで配置されており、３色分けに相当する記録ヘッド列がＢｋに割り当てられている。複数個の記録ヘッドが割り当てられる色は、Ｂｋに限らず他の色でもよいが、複数個並ぶ記録ヘッドを記録ヘッド並びの外側に配置し、キャリッジ往復時に外側以外の記録ヘッドを使用することによってキャリッジ７２の往復距離が短縮可能である。また、同じ色の記録ヘッドを隣り合って並べることにより、記録データが保存されるバッファ３内のデータ量を隣り合っていない場合よりも少なくすることが可能である。図２で示すような記録ヘッド並びの場合、キャリッジ往復移動距離を極力少なくするためには、Ｂｋ記録ヘッドを使用する範囲制限をそれぞれの記録ヘッドに持たせることにより実現可能である。図２には、図示の配列で記録ヘッドが配置され、キャリッジ往復移動距離を最短距離にする場合のＢｋ１〜Ｂｋ３の記録可能領域を示している。キャリッジ７２を最短距離で往復させるためには、アウェイポジション側では、Ｂｋ１のみを、ホームポジション側では、グレースケールの場合はＢｋ３のみを使用して記録を行う方法が最も効率的である。本発明による実施例では、キャリッジ７２の移動距離に応じて同色の複数の記録ヘッドの中から使用する記録ヘッドを選択し、使用する。図２でＢｋ記録ヘッドの記録可能距離を示す図において白抜きされている四角部分が各記録ヘッドが記録を担う領域である。図示のように記録領域を分割することによって、キャリッジ７２を最短距離で往復させることが可能であり記録速度の向上に繋がる他、個々の記録ヘッドの記録使用頻度が減少することにより、記録ヘッドの高寿命化にも寄与する。カラー記録ヘッドを使用しないグレースケール印字の場合、キャリッジ７２の往復最短距離はＢｋ記録ヘッドの幅のみで決定する。つまり、図２で示される記録ヘッド配置の場合、Ｐｏｓｉｔｉｏｎ１ではＢｋ３が紙の印刷端部の真上に来たときに反転し、Ｐｏｓｉｔｉｏｎ４では、Ｂｋ１記録ヘッドが紙の印刷端部の真上に来たときに反転する動作を繰り返すことによってキャリッジ７２移動距離が最短になる。そして、各記録ヘッドの利用率をより平均化するためには各記録ヘッドの記録領域を等しくなるように（ｙ１＝ｙ２＝ｙ３）、ｙ１、ｙ２、ｙ３を決定すればよい。または、記録ヘッドの実利用率により平均化するためには、１スキャン間の記録データを参照し、各記録ヘッドから吐出されるドット数が１スキャンの間に全記録ヘッドからと出されるドット数の約１／３になるようにスキャン領域ｙ１、ｙ２、ｙ３を決定すればよい。この場合には、記録データを処理する最終段において、バッファ３に記録するデータをドットカウントし、ドットの分散割合からスキャン領域を決定する。
【００２６】
次に、図３に１スキャンにおける記録ヘッドの切り替え動作について説明する。Ｓｔｅｐ１の記録スタート状態では、１ページ分の印字が開始される状態であり、バッファ３には、ａ×ｄ［ｃｏｌｕｍｎ］以上のバッファデータが記録されている状態である。本図の説明においては、バッファ３よりも前段の動作についての詳細については述べないが、記録データとしてバッファ３には、スキャンの中で次の記録ヘッド切り替え時までに、次の記録ヘッドが記録するデータ（ａ×ｄ［ｃｏｌｕｍｎ］以上のデータ）が保存されている状態であればよい。図３におけるステップでは、グレースケール印字の１ページ分の記録についての動作ステップを示す。１ページ以上の記録については、図３の全ステップを繰り返し行うことで実行できる。ステップ１で記録が開始され、ステップ２においてキャリッジ７２の進行方向を判別する。これは、進行方向によってＢｋ１〜Ｂｋ３記録ヘッドの使用順序が違うためであり、進行方向１の場合にはＢｋ１→Ｂｋ２→Ｂｋ３の順で使用し、進行方向２の場合にはその逆順の使用順序になる。ステップ２でキャリッジ７２の進行方向を判別し、進行方向１の場合にはステップ３に進み、Ｂｋ３記録ヘッドを選択し、キャリッジ７２動作を開始する。ステップ２でキャリッジ７２進行方向が２の場合にはステップ４に進み、Ｂｋ１記録ヘッドを選択し、キャリッジ７２動作を開始する。ステップ７では、３つのＢｋ記録ヘッドの真ん中に配置されているＢｋ２を選択し、さらに記録を進める。ここで、記録ヘッドの切り替え後も、以前に選択されていた記録ヘッドが新しく選択された記録ヘッドが記録開始する場所までの間（ａ×ｄ［ｃｏｌｕｍｎ］）は記録を行っている。つまり、記録ヘッド切り替え後、ａ×ｄ［ｃｏｌｕｍｎ］分の記録は２個の記録ヘッドが受け持つ。ステップ７で記録ヘッドの切り替えを行った後、Ｐｏｓｉｔｉｏｎ２あるいはＰｏｓｉｔｉｏｎ３で記録ヘッドを切り替えるかを判別する（ステップ８）。キャリッジ７２進行方向が１の場合、ステップ１１にて記録ヘッドＢｋ１が選択され、進行方向が２の場合には記録ヘッドＢｋ３が選択される。進行方向が２の場合にはＢｋ３が選択される。その後、キャリッジ７２がキャリッジ７２進行方向端部に来ると、実行したスキャンが終了であるかを判定し、印字が終了の場合、記録プロセスはステップ１６に移り、記録終了となる。印字が最終スキャンではない場合はステップ１５に移り、キャリッジ７２動作を反転させて再度スキャンに移る。ステップ１５及び１６のキャリッジ７２停止、反転位置はキャリッジ７２進行位置が１の場合にはＰｏｓｉｔｉｏｎ４の真上にＢｋ１が来た場合、進行方向２の場合はＰｏｓｉｔｉｏｎ１の真上にＢｋ３がきたときである。詳細の説明は省略するが、カラー印字の場合も同様に３つのＢｋ記録ヘッドを選択的に使用して同様の記録を行うことが可能である。ただし、カラー印字の場合、記録に使用する記録ヘッドが６ヘッドになるため、図２のような記録ヘッド構成の場合、キャリッジ７２反転位置は最短でも進行方向１が１の場合のキャリッジ７２反転位置は、Ｐｏｓｉｔｉｏｎ４の真上にＹ記録ヘッドが、進行方向が２の場合にはＰｏｓｉｔｉｏｎ１の真上にＢｋ３となる。以���、本実施例による方法を使用することによって、３つのＢｋ記録ヘッドを利用率やスキャン距離によって１／３ずつ振り分けて使用するため、Ｂｋ記録ヘッドの項寿命化、記録ヘッド昇温による画質の悪化とスキャン時間の低下を防ぐことができる。グレースケール、カラー印刷を問わず、Ｂｋの割合が多く、高速な印字が求められるテキスト文書やカラー図入り文書などには最適な記録方法である。また、記録ヘッドに転送される前段のバッファ３までの回路構成は４ヘッド用の回路構成で実現できるため、コスト面でも有利な発明である。
【実施例２】
【００２７】
次に、本発明による第二の実施例について図を参照しながら説明する。
【００２８】
図４は、本発明の構成を示す概略図であり、６色分けのノズル列を持つ記録ヘッドを用いてＢｋ、Ｃ、Ｍ、Ｙの４色で印刷を行う構成で、余り２色分けの記録ヘッド１にＢｋを割り当てた場合の構成図である。本実施例においては、余り記録ヘッドにＢｋを割り当てるが、余り記録ヘッドには、印字に使用しているどの色を割り当ててもよい。特に記録シート状で濃い色を発色させたい場合や、使用頻度が多い記録ヘッドに割り当てると発明により得られる効果が高い。
【００２９】
画像処理部２はホストコンピュータ９２から受信した記録データを印字モードに応じて記録ヘッド１の個々のノズルに対応するデータ形式に変換する部分であり、内部では要求される印字モードに対応する形で圧縮データの解凍やスムージング処理等が実行される。これらの処理は色別に処理され、記録ヘッドに転送される前段で、色別にアドレッシングされてバッファ３に格納される。
【００３０】
バッファ３に格納されたデータは、記録ヘッドデータ読込／転送コントロール部１３にて、記録ヘッド１に転送される。読み出しは、ヒートタイミングコントロールブロック６から受け取るトリガによって実行される。トリガが入力されると、色別にアドレッシングされたバッファ３内から、キャリッジ７２の位置から読み出しアドレスを算出し、キャリッジ７２位置に対応した位置に所望のデータを記録できるように、記録ヘッドに転送する値を読み込み、読み込んだデータを記録ヘッドに向けて転送する。データと同時にクロックと記録ヘッドにデータをラッチするためのラッチ信号を転送する。記録ヘッドは記録ヘッドデータ読込／転送コントロール部１３から転送されてくるデータを受け取り、ラッチ信号により、個々のノズルに対応したヒータのＯＮ／ＯＦＦが確定する。ラッチ後、ヒートパルスコントロール部８から転送されてくるヒートパルス１０によって各ノズルのヒータがＯＮされ、吐出されたインク滴が記録シート上に記録される。
【００３１】
ヒートパルスコントロール部８は、キャリッジ７２位置とキャリッジ７２の進行方向及び速度から、記録データが記録シート状で所望の位置に記録されるよう、適切なタイミングでヒートパルスを記録ヘッドに向けて送信する。
【００３２】
位置カウント部７は、キャリッジ７２からＣＲエンコーダパルスを受け取り、キャリッジ７２の位置を管理する。キャリッジ７２の位置が所定の位置に到達したら画像、データ処理トリガを画像処理部に転送し、画像処理部にてデータ処理を開始する。同様に、キャリッジ７２位置をカウントしながら、記録ヘッドデータ読出／転送コントロール部１３に位置情報としてのトリガ９を転送する。
【００３３】
記録ヘッド１は、複数のノズル列からなっており、記録ヘッドデータコントロール部８によって転送される各ノズルに対応するデータを受信し、ヒートパルスをトリガとしてインク滴を吐出する。ヒートパルスは、ノズル列ごとに独立して記録ヘッドに転送される。各ノズル列におけるインクの吐出タイミングは、キャリッジ７２の絶対位置とキャリッジ速度によって決定する。
【００３４】
記録ヘッドデータ読込／転送コントロール部１３には、記録ヘッドの個数分の独立した読込／転送回路１４が備わっており、バッファ３からそれぞれの記録ヘッドに対応したデータをバッファ３から読み込み、記録ヘッドにデータの転送を行う。
【００３５】
１５は、マスク回路であり、本実施例においては、３色分けの記録ヘッドが割り当てられているＢｋの記録ヘッドデータコントロール回路内にあり、各Ｂｋ記録ヘッドの読込／転送回路１４に接続されている。キャリッジ７２位置とあらかじめ設定された印字モードから、各Ｂｋ記録ヘッドの読込／転送回路１４からヘッドに転送されるデータに関してマスク処理を行う。マスク回路によって他の記録ヘッドが記録した場所に同じ記録を行わないようマスクする機能や印字Ｄｕｔｙを上げ、記録シート状でのコントラストをあげる目的等により他の記録ヘッドが記録を行った同じ場所に重ねて同じ記録データを記録することも可能である。また、キャリッジ７２の位置によってマスクパターンを変化させる場合には、用紙右端、左端でパターンを変化させることにより高速化が可能である。３色分けのノズル列を割り当てた場合、ノズル列全体の幅は１色分けのノズル列を割り当てた場合と比較してキャリッジ７２移動方向と平行な方向に長くなる。３色分けのノズル列のうち、記録シートの左端、右端において、記録シート中央から最も距離の離れたノズル列のみを使用して記録を行うことにより、キャリッジ７２は１色分けのノズル列を割り当てた場合と比較して、記録シート中央に近い位置で反転が可能なため、キャリッジ往復距離が短縮され、記録シート全体での記録時間が短縮される。読出／転送回路には、記録ヘッド切り替えと同時に切り替えるべきバッファ３からの読出しアドレス値もしくはアドレスの差を指定しておく。読出しアドレスは、記録ヘッド間の距離ｄ［ｉｎｃｈ］と解像度にａ［ｄｐｉ］よって決定される。記録ヘッド切り替え時にバッファ３からのデータ読み出しアドレスを切り替えることにより、記録ヘッド切り替えによる記録ヘッド間の距離分の印字ずれを吸収する。このため、バッファ３には、複数カラム分の記録データが保存されており、各記録ヘッドがＯＤＤ側、ＥＶＥＮ側に分割されている場合、１色分けを３記録ヘッドに割り当てる場合には両者のバッファ３に対して２ａ×ｄ［ｃｏｌｕｍｎ］以上のバッファデータが必要である。
【００３６】
マスク回路は、記録ヘッド読込／転送回路が記録ヘッドに対してデータを転送する後段に接続されており、記録データのマスク処理を実行する部分である。記録ヘッドセレクタ回路により、２記録ヘッド以上の記録ヘッドが選択された状態で、各Ｂｋ記録ヘッドの読込／転送がバッファ３からデータを読み出した際、両方の記録ヘッドがそのまま記録シートに記録を行うと、両方の記録ヘッドによって同じ場所に同じ記録データを記録してしまう。この上書きデータをマスクして記録しないようにするための目的で、マスク処理を行う回路である。高Ｄｕｔｙ記録を行う場合、通常１記録ヘッドの同じノズルを使用して記録シートの同じ場所に対して記録を行うが、本実施例による方法であれば、マスクをかけずに記録を行うことによって異なる記録ヘッドの同じノズルによる上書記録が可能である。通常、高Ｄｕｔｙ記録を行う場合、各記録ヘッドのノズル利用率が高いため、サーマル記録ヘッドによるインクジェット記録ではＤｕｔｙが上がるほど記録ヘッドの温度上昇問題やインク供給問題などが大きくなり、記録に時間がかかる。一方、本実施例による方法では、１記録ヘッド分の記録データを３記録ヘッドに分散させて記録を行うため、温度上昇、インク供給によるネックも１記録ヘッドの場合と比較して１／３に低減され、高速な高Ｄｕｔｙ記録が実現可能である。また、１記録ヘッド分のデータを３記録ヘッドに振り分けることによって、１記録ヘッドにかかる吐出割合を減らすことができるため、記録ヘッドの長寿命化が図れると共に、同じ記録データを３記録ヘッドに振り分けるため、吐出割合が減ることによってヒート周波数を上げることが可能となる。つまり、これまでの１記録ヘッドのみを用いた印字の場合、高速で印字を行おうとして、キャリッジ速度を上げても、ヒートパルスの幅制限（ヒート周期の制限）によって一定以上の速さに上げることが不可能であった。本発明による方法では、１記録ヘッド分のデータを複数記録ヘッドに分割するため、ｎ個の記録ヘッドを使用する場合では、ヒート周期を最大１／ｎまで減らすことができる。この場合、マスク処理を利用して３記録ヘッドへの振り分けを最適化する。あるノズルｎから吐出されるドットに注目した場合、マスクデータが「Ｍｎ＿Ｂｋ１  ｏｒ  Ｍｎ＿Ｂｋ２  ｏｒ  Ｍｎ＿Ｂｋ３  ＝１」であれば、記録シート上にインク滴が吐出され、データを間引く場合、マスクデータを「Ｍｎ＿Ｂｋ１  ｏｒ  Ｍｎ＿Ｂｋ２  ｏｒ  Ｍｎ＿Ｂｋ３  ＝０」にすることにより実現可能である。マスクデータは、キャリッジ７２位置、キャリッジ速度によって変化させることにより、高速な印字が可能となる。
【００３７】
次に、実際の動作について図５及び６を参照しながら説明する。図５はキャリッジ７２進行方向に平行で、かつ記録シートの記録面に垂直に見た簡易図である。図中の７２は記録ヘッドが搭載されたキャリッジであり、各色の記録ヘッドは図のようにキャリッジ７２の進行方向に対して水平に距離を持って配置されている。本実施例では、図５に示すようにＢｋ、Ｃ、Ｍ、Ｙの順で記録ヘッドが並んで配置されており、３色分けの記録ヘッドがＢｋに割り当てられている。Ｂｋ１−Ｂｋ２間距離とＢｋ２−Ｂｋ３間距離は等しいものとする。複数個の記録ヘッドが割り当てられる色は、Ｂｋに限らず他の色でもよいが、複数個並ぶ記録ヘッドを記録ヘッド並びの外側に配置し、キャリッジ往復時に外側以外の記録ヘッドを使用することによってキャリッジ７２の往復距離が短縮可能である。また、同じ色の記録ヘッドを隣り合って並べることにより、記録データが保存されるバッファ３内のデータ量を隣り合っていない場合よりも少なくすることが可能である。図５で示すような記録ヘッド並びの場合、キャリッジ往復移動距離を極力少なくするためには、Ｂｋ記録ヘッドを使用する範囲制限をそれぞれの記録ヘッドに持たせることにより実現可能である。図５には、図示の配列で記録ヘッドが配置され、キャリッジ往復移動距離を最短距離にする場合のＢｋ１〜Ｂｋ３の記録可能領域を示している。キャリッジ７２を最短距離で往復させるためには、アウェイポジション側では、Ｂｋ１のみを、ホームポジション側では、グレースケールの場合はＢｋ３のみを使用して記録を行う方法が最も効率的である。本発明による実施例では、キャリッジ７２の移動距離に応じて同色の複数の記録ヘッドの中から使用する記録ヘッドを選択し、使用する。図５でＢｋ記録ヘッドの記録可能距離を示す図において白抜きされている四角部分が各記録ヘッドが記録を担う領域である。印字領域の両端において、図示のように記録領域を分割することによって、キャリッジ７２を最短距離で往復させることが可能であり記録速度の向上に繋がる。カラー記録ヘッドを使用しないグレースケール印字の場合、キャリッジ７２の往復最短距離はＢｋ記録ヘッドの幅のみで決定する。つまり、図５で示される記録ヘッド配置の場合、Ｐｏｓｉｔｉｏｎ１ではＢｋ３が紙の印刷端部の真上に来たときに反転し、Ｐｏｓｉｔｉｏｎ４では、Ｂｋ１記録ヘッドが紙の印刷端部の真上に来たときに反転する動作を繰り返すことによってキャリッジ７２移動距離が最短になる。
【００３８】
さらに、印字領域中央部分で３つの記録ヘッドが同時に印字を受け持つ領域になっている。この領域では記録データを３つの記録ヘッドに振り分けて記録を行うことにより、個々の記録ヘッドの記録使用頻度が減少し、記録ヘッドの高寿命化に寄与すると同時に、各記録ヘッドにおける一定時間内の吐出頻度を小さくすることが可能であり、３記録ヘッド全体として吐出周波数を上げることが可能になり、印字領域中央部分でキャリッジ速度を高くすることができる。キャリッジ速度をｖ［ｉｎｃｈ／ｓｅｃ］、記録解像度をａ［ｄｐｉ］とすると、記録ドット間の周期は１／ａｖ［ｓｅｃ］となる。つまり、この条件内で記録を行うには、記録ヘッドへのデータ転送とヒートパルスを１／ａｖ［ｓｅｃ］以内に収めなければいけない。この時間はキャリッジ速度、解像度の両方に反比例するため、高速高解像度記録を行う場合、記録ヘッドへのデータ転送時間を短時間に行い、ヒートパルス幅を短くする必要がある。しかしながら、本実施例による方法によれば、１記録ヘッド分の記録データを３記録ヘッドに分散させて記録を行うため、記録ヘッドへのデータ転送とヒートパルスを３／ａｖ［ｓｅｃ］内に収めればよい。そのため、記録解像度を高く保ったままキャリッジ７２を高速化できるため、結果として、高速高解像度記録が可能になる。例えば、２４ブロックに分けて１カラムのデータを記録する記録ヘッドの場合、１ブロック目の記録をＢｋ１に割り当て、２ブロック目の記録をＢｋ２、３ブロック目をＢｋ３記録ヘッドというようにブロック駆動を行うことによって前記の方法を実現できる。
【００３９】
次に、図６に１スキャンにおける記録ヘッドの切り替え動作について説明する。ステップ２１の記録スタート状態では、１ページ分の印字が開始される状態であり、バッファ３には、ａ×ｄ［ｃｏｌｕｍｎ］以上のバッファデータが記録されている状態である。本図の説明においては、バッファ３よりも前段の動作についての詳細については述べないが、記録データとしてバッファ３には、スキャンの中で次の記録ヘッド切り替え時までに、次の記録ヘッドが記録するデータ（ａ×ｄ［ｃｏｌｕｍｎ］以上のデータ）が保存されている状態であればよい。図６におけるステップでは、グレースケール印字の１ページ分の記録についての動作ステップを示す。１ページ以上の記録については、図６の全ステップを繰り返し行うことで実行できる。ステップ１で記録が開始され、ステップ２２においてキャリッジ７２の進行方向を判別する。これは、進行方向によってＢｋ１〜Ｂｋ３記録ヘッドの使用順序が違うためであり、進行方向１の場合にはＢｋ１→Ｂｋ２→Ｂｋ３の順で使用し、進行方向２の場合にはその逆順の使用順序になる。
【００４０】
ステップ２２でキャリッジ７２の進行方向を判別し、進行方向１の場合にはステップ２３に進み、Ｂｋ３がＰｏｓｉｔｉｏｎ１に到達するとステップ２４に進んでマスク設定を行い、キャリッジ７２動作を開始する。キャリッジ７２動作開始時には、Ｂｋ１記録ヘッドに転送される記録データはＰｏｓｉｔｉｏｎ３に記録されるべきデータをバッファ３から読み出して転送し、Ｂｋ２記録ヘッドに転送される記録データは、Ｐｏｓｉｔｉｏｎ２に記録されるべきデータをバッファ３から読み出して転送する。Ｂｋ３は印字開始位置であるＰｏｓｉｔｉｏｎ１に記録されるべきデータをバッファ３から読み出し、記録ヘッドに向けて転送する。つまり、Ｐｏｓｉｔｉｏｎ１−Ｐｏｓｉｔｉｏｎ２間はＢｋ３記録ヘッドのみが記録を行い、Ｐｏｓｉｔｉｏｎ２−Ｐｏｓｉｔｉｏｎ３間はＢｋ２、Ｂｋ３が記録を行う、そしてＰｏｓｉｔｉｏｎ３−Ｐｏｓｉｔｉｏｎ４間はＢｋ１、Ｂｋ２、Ｂｋ３の全記録ヘッドを用いて記録を行う。ステップ２４におけるマスク設定では、Ｂｋ１については記録ヘッドのブロック駆動順の（３ｎ−２）番目以外をマスクするように設定され、後からＰｏｓｉｔｉｏｎ３に到達して記録を進めるＢｋ１、Ｂｋ２が記録を担う部分にマスクをかける。Ｂｋ２記録ヘッドのマスクは、ブロック駆動順の奇数番目の記録データをマスクするように設定される。これは、Ｂｋ３記録ヘッドがＰｏｓｉｔｉｏｎ２に到達した後、Ｂｋ２記録ヘッドがブロック駆動順の奇数番目の記録を受け持つためである。Ｂｋ３に関しては、Ｐｏｓｉｔｉｏｎ１−Ｐｏｓｉｔｉｏｎ２間はＢｋ１記録ヘッドのみで記録を行うため、ステップ２４ではマスク処理を行わない。キャリッジ７２が進み、記録が進行してステップ２５でＢｋ２記録ヘッドがＰｏｓｉｔｉｏｎ３に到達すると、ステップ２６に進み、Ｂｋ２のマスクが記録ヘッドのブロック駆動順の（３ｎ−１）番目以外をマスクするように設定され、Ｂｋ１記録ヘッドのマスクは、ブロック駆動順の偶数番目の記録データをマスクするように設定される。さらに記録が進み、ステップ２７でＢｋ３がＰｏｓｉｔｉｏｎ３に到達すると、ステップ２８に進み、再度マスク設定を行う。ステップ２７におけるマスク設定では、Ｂｋ３のマスクが記録ヘッドのブロック駆動順の３ｎ番目以外をマスクするように設定される。そして、ステップ２９でＢｋ１記録ヘッドがＰｏｓｉｔｉｏｎ４に到達するまでは、３つの記録ヘッドがそれぞれブロック駆動を３つに分割して記録を進める。つまり、Ｐｏｓｉｔｉｏｎ３からＰｏｓｉｔｉｏｎ４までの間は１色分けの記録データ、つまり１記録ヘッド分のデータを３つに振り分ける。各記録ヘッドは、Ｂｋ１記録ヘッドが３ｎのブロックを受け持ち、Ｂｋ２記録ヘッドが（３ｎ−１）ブロックを、Ｂｋ３記録ヘッドが（３ｎ−２）ブロックを受け持つ。ここでｎは自然数である。ステップ２９で、Ｂｋ１記録ヘッドがＰｏｓｉｔｉｏｎ４に到達すると、ステップ３０に進み、Ｂｋ１のマスクは、ブロック駆動順の奇数番目の記録データをマスクするように設定される。さらにＢｋ１記録ヘッドがＰｏｓｉｔｉｏｎ５に到達すると、ステップ３１に進んでＢｋ１記録ヘッドはマスク処理を行わないように設定される。その後、Ｂｋ１がキャリッジ７２進行方向端部（Ｐｏｓｉｔｉｏｎ６）に来ると、ステップ３２に進み、実行したスキャンが終了であるかを判定し、印字が終了の場合、記録プロセスはステップ４５に移り、記録終了となる。印字が最終段ではない場合はステップ４４に移り、キャリッジ７２動作を反転させて再度スキャンに移る。キャリッジ７２進行方向が進行方向２の場合、進行方向１の場合と逆に記録ヘッドを駆動する。すなわち、Ｂｋ１を基準とすると、Ｐｏｓｉｔｉｏｎ６（ステップ３４、３５）においては、Ｂｋ１はマスク処理を行わず、Ｂｋ２は偶数番目以外のブロックをマスク処理によって吐出しないように設定される。Ｂｋ３は（３ｎ−２）番目のブロック以外をマスク処理され、吐出しないように設定される。Ｂｋ１がＰｏｓｉｔｉｏｎ５（ステップ３６、３７）に到達すると、Ｂｋ２が（３ｎ−１）番目のブロック以外をマスクし、Ｂｋ１は奇数番目以外のブロックの吐出をマスクする。さらに、Ｐｏｓｉｔｉｏｎ４に到達すると（ステップ３８、３９）、Ｂｋ１は３Ｎ番目のブロック以外をマスク処理され、Ｐｏｓｉｔｉｏｎ３までの間、３つの記録ヘッドで１色分けの記録データを振り分けてる。そして、Ｂｋ３がＰｏｓｉｔｉｏｎ３に到達すると（ステップ４０、４１）、Ｂｋ２は偶数番目以外のブロックをマスクされ、Ｂｋ３はき数番目以外のブロックをマスクされる。そして、Ｂｋ３がＰｏｓｉｔｉｏｎ２に到達するまでの間、Ｂｋ２及びＢｋ３で記録を行う。次にＢｋ３がＰｏｓｉｔｉｏｎ２に到達すると（ステップ４２、４３）、Ｂｋ３のマスク処理は解除され、Ｐｏｓｉｔｉｏｎ１までの間をＢｋ１記録ヘッドのみで記録を行う。Ｂｋ３がＰｏｓｉｔｉｏｎ１に到達すると、ステップ３３に進んで、印字終了もしくは次のパスに進むかによってステップ４４もしくはステップ４５に進む。ステップ４４及び４５のキャリッジ７２停止、反転位置はキャリッジ７２進行位置が１の場合にはＢｋ１がＰｏｓｉｔｉｏｎ６の真上、進行方向２の場合はＰｏｓｉｔｉｏｎ１の真上にＢｋ３がきたときである。詳細の説明は省略するが、カラー印字の場合も同様に３つのＢｋ記録ヘッドを選択的に使用して同様の記録を行うことが可能である。ただし、カラー印字の場合、記録に使用する記録ヘッドが６ヘッドになるため、図５のような記録ヘッド構成の場合、キャリッジ７２反転位置は最短でも進行方向１が１の場合のキャリッジ７２反転位置は、Ｐｏｓｉｔｉｏｎ６の真上にＹ記録ヘッドが、進行方向が２の場合にはＰｏｓｉｔｉｏｎ１の真上にＢｋ３となる。以上、本実施例による方法を使用することによって、３つのＢｋ記録ヘッドを利用率やスキャン距離によって１／３ずつ振り分けて使用するため、Ｂｋ記録ヘッドの項寿命化、記録ヘッド昇温による画質の悪化とスキャン時間の低下を防ぐことができる。グレースケール、カラー印刷を問わず、Ｂｋの割合が多く、高速な印字が求められるテキスト文書やカラー図入り文書などには最適な記録方法である。また、記録ヘッドに転送される前段のバッファ３までの回路構成は４ヘッド用の回路構成で実現できるため、コスト面でも有利な発明である。
【図面の簡単な説明】
【００４１】
【図１】本発明による第１の実施の形態における、ヘッドデータ転送部分の概略構成を示す図である。
【図２】本発明による第１の実施の形態における、キャリッジ進行方向とヘッドの色別配置、各ヘッドの記録割当を示す概略図である。
【図３】本発明による第１の実施の形態における、記録の処理を示すフローチャートである。
【図４】本発明による第２の実施の形態における、ヘッドデータ転送部分の概略構成を示す図である。
【図５】本発明による第２の実施の形態における、キャリッジ進行方向とヘッドの色別配置、各ヘッドの記録割当を示す概略図である。
【図６】本発明による第２の実施の形態における、記録の処理を示すフローチャートである。
【図７】本発明で説明するサーマルインクジェット記録装置を説明する全体構成の斜視図である。
【図８】本発明で説明するサーマルインクジェット記録装置を説明する全体接続構成の概略図である。
【符号の説明】
【００４２】
１  記録ヘッド
２  画像処理部
３  バッファ
４  記録ヘッドデータ読込／転送コントロール部
５  読込／転送回路
６  ヒートタイミングコントロールブロック
７  キャリッジ位置カウント回路
８  ヒートパルスコントロール回路
９  位置カウントトリガ
１０  ヒートパルス
１１  ヘッドセレクタ回路
１２  記録ヘッドデータ読込／転送コントロール部
１３  記録ヘッドデータ読込／転送コントロール部
１４  読込／転送回路
【図１】
2005262788.tif 000003
【図２】
2005262788.tif 000004
【図３】
2005262788.tif 000005
【図４】
2005262788.tif 000006
【図５】
2005262788.tif 000007
【図６】
2005262788.tif 000008
【図７】
2005262788.tif 000009
【図８】
2005262788.tif 000010